(57)【要約】【課題】  移動体に設けられたアクチュエータを利用した映像以外のＶＲの演出も可能としたＶＲ演出装置を提供することを目的とする。【解決手段】  本発明のＶＲ演出装置は、移動体（たとえば乗用車１）と、当該移動体に設けられたアクチュエータ２（たとえばサスペンション駆動装置２５、シート駆動装置２４のうちの１つ以上）、当該アクチュエータの制御手段３、情報入力手段４、ＶＲ演出制御手段５とを備え、ＶＲ演出制御手段５が情報入力手段４からの情報に基づいてアクチュエータの制御手段３を制御してアクチュエータ２によるＶＲを演出したことを特徴とする。【選択図】        図１
2006047478.tif 000002
【特許請求の範囲】
【請求項１】
移動体と、当該移動体に設けられたアクチュエータ、当該アクチュエータの制御手段、情報入力手段、バーチャルリアリティ演出制御手段とを備え、バーチャルリアリティ演出制御手段が情報入力手段からの情報に基づいてアクチュエータの制御手段を制御してアクチュエータによるバーチャルリアリティを演出したことを特徴とするバーチャルリアリティ演出装置。
【請求項２】
アクチュエータとしてサスペンション駆動装置、シート駆動装置のうちの１つ以上を備えたことを特徴とする請求項１に記載のバーチャルリアリティ演出装置。
【請求項３】
アクチュエータとしてさらに表示装置、音出力装置、空調装置、照明装置のうちの１つ以上を備えたことを特徴とする請求項２に記載のバーチャルリアリティ演出装置。
【請求項４】
情報入力手段として移動体の外部の情報を入力する外部情報入力手段、移動体に乗った乗員の生体情報を入力する乗員生体情報入力手段、乗員の操作による情報を入力する乗員操作情報入力手段、設定バーチャルリアリティ情報入力手段のうちの１以上を備えたことを特徴とする請求項１ないし請求項３のいずれかに記載のバーチャルリアリティ演出装置。
【請求項５】
外部情報入力手段、乗員生体情報入力手段、乗員操作情報入力手段、設定バーチャルリアリティ情報入力手段のそれぞれが１以上の情報入力装置で構成されたことを特徴とする請求項４に記載のバーチャルリアリティ演出装置。
【請求項６】
バーチャルリアリティ演出制御手段が、１以上の情報入力装置からの情報を入力して１以上のアクチュエータの制御手段の制御情報を決定する制御情報決定部と、制御情報に基づいて制御対象のアクチュエータの制御手段を制御するバーチャルリアリティ演出制御部とを備えたことを特徴とする請求項５に記載のバーチャルリアリティ演出装置。
【請求項７】
バーチャルリアリティ演出制御手段が、入力部と、出力部と、入力部に接続されたすべての情報入力装置からの情報を入力して出力部に接続されたすべてのアクチュエータの制御手段の制御情報を決定する自動モード制御情報決定部と、制御情報に基づいて制御対象のアクチュエータの制御手段を制御するバーチャルリアリティ演出制御部とを備えたことを特徴とする請求項５に記載のバーチャルリアリティ演出装置。
【請求項８】
バーチャルリアリティ演出制御手段が、入力部と、出力部と、入力部に接続された情報入力装置を選択可能な情報入力装置選択部と、出力部に接続されたアクチュエータを選択可能なアクチュエータ選択部と、選択された情報入力装置からの情報とアクチュエータとにより当該アクチュエータの制御手段の制御情報を決定する手動モード制御情報決定部と、制御情報に基づいて制御対象のアクチュエータの制御手段を制御するバーチャルリアリティ演出制御部とを備えたことを特徴とする請求項５に記載のバーチャルリアリティ演出装置。
【請求項９】
バーチャルリアリティ演出制御手段が、入力部と、出力部と、入力部に接続されたすべての情報入力装置からの情報を入力して出力部に接続されたすべてのアクチュエータの制御手段の制御情報を決定する自動モード制御情報決定部と、入力部に接続された情報入力装置を選択可能な情報入力装置選択部と、出力部に接続されたアクチュエータを選択可能なアクチュエータ選択部と、選択された情報入力装置からの情報とアクチュエータとにより当該アクチュエータの制御手段の制御情報を決定する手動モード制御情報決定部と、自動モード制御情報決定部あるいは手動モード制御情報決定部のどちらかを選択可能なモード選択部と、選択された制御情報決定部からの制御情報に基づいて制御対象のアクチュエータの制御手段を制御するバーチャルリアリティ演出制御部とを備えたことを特徴とする請求項５に記載のバーチャルリアリティ演出装置。
【請求項１０】
バーチャルリアリティ演出制御手段と、情報入力手段が接続される入力端子と、移動体に設けられたアクチュエータの制御手段が接続される出力端子とを備え、バーチャルリアリティ演出制御手段が入力端子に接続された情報入力手段からの情報に基づいて出力端子に接続されたアクチュエータの制御手段を制御してアクチュエータによるバーチャルリアリティを演出したことを特徴とするバーチャルリアリティ演出制御装置。
【請求項１１】
アクチュエータの制御手段としてのサスペンション駆動制御装置、シート駆動装置、表示制御装置、音制御装置、空調制御装置、照明制御装置のうち、少なくともサスペンション駆動制御装置かシート駆動制御装置を含む１つ以上の制御装置が接続可能な出力端子と、情報入力手段を構成する１以上の情報入力装置が接続可能な入力端子とを備えたことを特徴とする請求項１０に記載のバーチャルリアリティ演出制御装置。
【請求項１２】
移動体に搭載されたコンピュータに、１つの情報入力装置からの情報に基づいて１つのアクチュエータの制御手段に対する制御を行わせてバーチャルリアリティを演出させる機能を備えたことを特徴とするバーチャルリアリティ演出制御プログラム。
【請求項１３】
移動体に搭載されたコンピュータに、１つの情報入力装置からの情報に基づいて複数のアクチュエータの制御手段に対する制御を行わせてバーチャルリアリティを演出させる機能を備えたことを特徴とするバーチャルリアリティ演出制御プログラム。
【請求項１４】
移動体に搭載されたコンピュータに、複数の情報入力装置からの情報に基づいて１つのアクチュエータの制御手段に対する制御を行わせてバーチャルリアリティを演出させる機能を備えたことを特徴とするバーチャルリアリティ演出制御プログラム。
【請求項１５】
移動体に搭載されたコンピュータに、複数の情報入力装置からの情報に基づいて複数のアクチュエータの制御手段に対する制御を行わせてバーチャルリアリティを演出させる機能を備えたことを特徴とするバーチャルリアリティ演出制御プログラム。
【請求項１６】
移動体に搭載されたコンピュータに、サスペンション駆動制御装置、シート駆動制御装置のうちの１以上の制御装置に対する制御を行わせてバーチャルリアリティを演出させる機能を備えたことを特徴とする請求項１２ないし請求項１５のいずれかに記載のバーチャルリアリティ演出制御プログラム。
【請求項１７】
移動体に搭載されたコンピュータに、移動体の外部の情報を入力する外部情報入力手段、移動体に乗った乗員の生体情報を入力する乗員生体情報入力手段、乗員の操作による情報を入力する乗員操作情報入力手段、設定バーチャルリアリティ情報入力手段のうちの１以上の情報入力手段を構成する１以上の情報入力装置からの情報に基づいてアクチュエータの制御手段に対する制御を行わせてバーチャルリアリティを演出させる機能を備えたことを特徴とする請求項１２ないし請求項１６のいずれかに記載のバーチャルリアリティ演出制御プログラム。
【発明の詳細な説明】
【技術分野】
【０００１】
本発明はアクチュエータを装備した移動体を利用してバーチャルリアリティ（以下、「ＶＲ」と略す）を演出するＶＲ演出装置等に関する。
【背景技術】
【０００２】
従来、ＶＲ（仮想現実感）システム搭載モデルルームカーが知られている。このＶＲシステム搭載モデルルームカーは、ＶＲシステムがモデルルームカー内に設けられていて、データグローブ、データスーツなどの情報入力装置からスーパーコンピュータにデータが送信され、スーパーコンピュータが体験者の装着するＨＭＤ（Ｈｅａｄ  Ｍｏｕｎｔｅｄ  Ｄｉｓｐｌａｙ）に表示する３ＤリアルタイムＣＧによってＨＭＤ装着者はモデルルームカーの中や外でモデルルームのＶＲを体験できる。
【特許文献１】特開平１０−３０１４７４号公報
【発明の開示】
【発明が解決しようとする課題】
【０００３】
特許文献１では、モデルルームカー内でモデルルームの映像によるＶＲを体験できるだけであり、映像以外のＶＲを体験することはできない。
本発明は、移動体に設けられたアクチュエータを利用した映像以外のＶＲの演出も可能としたＶＲ演出装置を提供することを目的とする。
【課題を解決するための手段】
【０００４】
本発明のＶＲ演出装置は、移動体と、当該移動体に設けられたアクチュエータ、当該アクチュエータの制御手段、情報入力手段、ＶＲ演出制御手段とを備え、ＶＲ演出制御手段が情報入力手段からの情報に基づいてアクチュエータの制御手段を制御してアクチュエータによるＶＲを演出したことを特徴とする。
上記アクチュエータとしてサスペンション駆動装置、シート駆動装置のうちの１つ以上を備えた。
上記アクチュエータとしてさらに表示装置、音出力装置、空調装置、照明装置のうちの１つ以上を備えた。
上記情報入力手段として移動体の外部の情報を入力する外部情報入力手段、移動体に乗った乗員の生体情報を入力する乗員生体情報入力手段、乗員の操作による情報を入力する乗員操作情報入力手段、設定ＶＲ情報入力手段のうちの１以上を備えた。
上記外部情報入力手段、乗員生体情報入力手段、乗員操作情報入力手段、設定ＶＲ情報入力手段のそれぞれが１以上の情報入力装置で構成された。
上記ＶＲ演出制御手段が、１以上の情報入力装置からの情報を入力して１以上のアクチュエータの制御手段の制御情報を決定する制御情報決定部と、制御情報に基づいて制御対象のアクチュエータの制御手段を制御するＶＲ演出制御部とを備えた。
上記ＶＲ演出制御手段が、入力部と、出力部と、入力部に接続されたすべての情報入力装置からの情報を入力して出力部に接続されたすべてのアクチュエータの制御手段の制御情報を決定する自動モード制御情報決定部と、制御情報に基づいて制御対象のアクチュエータの制御手段を制御するＶＲ演出制御部とを備えた。
上記ＶＲ演出制御手段が、入力部と、出力部と、入力部に接続された情報入力装置を選択可能な情報入力装置選択部と、出力部に接続されたアクチュエータを選択可能なアクチュエータ選択部と、選択された情報入力装置からの情報とアクチュエータとにより当該アクチュエータの制御手段の制御情報を決定する手動モード制御情報決定部と、制御情報に基づいて制御対象のアクチュエータの制御手段を制御するＶＲ演出制御部とを備えた。
上記ＶＲ演出制御手段が、入力部と、出力部と、入力部に接続されたすべての情報入力装置からの情報を入力して出力部に接続されたすべてのアクチュエータの制御手段の制御情報を決定する自動モード制御情報決定部と、入力部に接続された情報入力装置を選択可能な情報入力装置選択部と、出力部に接続されたアクチュエータを選択可能なアクチュエータ選択部と、選択された情報入力装置からの情報とアクチュエータとにより当該アクチュエータの制御手段の制御情報を決定する手動モード制御情報決定部と、自動モード制御情報決定部あるいは手動モード制御情報決定部のどちらかを選択可能なモード選択部と、選択された制御情報決定部からの制御情報に基づいて制御対象のアクチュエータの制御手段を制御するＶＲ演出制御部とを備えた。
本発明のＶＲ演出制御装置は、ＶＲ演出制御手段と、情報入力手段が接続される入力端子と、移動体に設けられたアクチュエータの制御手段が接続される出力端子とを備え、ＶＲ演出制御手段が入力端子に接続された情報入力手段からの情報に基づいて出力端子に接続されたアクチュエータの制御手段を制御してアクチュエータによるＶＲを演出したことを特徴とする。
ＶＲ演出制御装置は、上記アクチュエータの制御手段としてのサスペンション駆動制御装置、シート駆動装置、表示制御装置、音制御装置、空調制御装置、照明制御装置のうち、少なくともサスペンション駆動制御装置かシート駆動制御装置を含む１つ以上の制御装置が接続可能な出力端子と、情報入力手段を構成する１以上の情報入力装置が接続可能な入力端子とを備えた。
本発明のＶＲ演出制御プログラムは、移動体に搭載されたコンピュータに、１つの情報入力装置からの情報に基づいて１つのアクチュエータの制御手段に対する制御を行わせてＶＲを演出させる機能を備えたことを特徴とする。
ＶＲ演出制御プログラムは、上記移動体に搭載されたコンピュータに、１つの情報入力装置からの情報に基づいて複数のアクチュエータの制御手段に対する制御を行わせてＶＲを演出させる機能を備えた。
ＶＲ演出制御プログラムは、上記移動体に搭載されたコンピュータに、複数の情報入力装置からの情報に基づいて１つのアクチュエータの制御手段に対する制御を行わせてＶＲを演出させる機能を備えた。
ＶＲ演出制御プログラムは、上記移動体に搭載されたコンピュータに、複数の情報入力装置からの情報に基づいて複数のアクチュエータの制御手段に対する制御を行わせてＶＲを演出させる機能を備えた。
ＶＲ演出制御プログラムは、上記移動体に搭載されたコンピュータに、サスペンション駆動制御装置、シート駆動制御装置のうちの１以上の制御装置に対する制御を行わせてＶＲを演出させる機能を備えた。
ＶＲ演出制御プログラムは、上記移動体に搭載されたコンピュータに、移動体の外部の情報を入力する外部情報入力手段、移動体に乗った乗員の生体情報を入力する乗員生体情報入力手段、乗員の操作による情報を入力する乗員操作情報入力手段、設定ＶＲ情報入力手段のうちの１以上の情報入力手段を構成する１以上の情報入力装置からの情報に基づいてアクチュエータの制御手段に対する制御を行わせてＶＲを演出させる機能を備えた。
【発明の効果】
【０００５】
本発明のＶＲ演出装置によれば、移動体に設けられたアクチュエータを利用した映像以外のＶＲの演出も可能となる。例えば、移動体を乗用車とすれば、車載のアクチュエータを利用した様々な車内ＶＲを演出できる。
アクチュエータとしてサスペンション駆動制御装置、シート駆動制御装置のうちの少なくとも１つ以上を備えるので、これらアクチュエータの制御手段を制御することにより、サスペンション駆動ＶＲやシート駆動ＶＲ、あるいはこれら両方のＶＲを演出できる。
アクチュエータとしてさらに表示装置、音出力装置、空調装置、照明装置のうちの少なくとも１つ以上を備えるので、これらアクチュエータの制御手段を制御することにより、サスペンション駆動ＶＲやシート駆動ＶＲに加えて、表示ＶＲ、音ＶＲ、空調ＶＲ、照明ＶＲを演出できるようになる。
情報入力手段として外部情報入力手段、乗員生体情報入力手段、乗員操作情報入力手段、設定ＶＲ情報入力手段のうちの１以上を備えたので、外部情報、乗員生体情報、乗員操作情報、設定ＶＲ情報に基づいてアクチュエータの制御手段を制御することによるＶＲを実現できる。
外部情報入力手段、乗員生体情報入力手段、乗員操作情報入力手段、設定ＶＲ情報入力手段のそれぞれが１以上の情報入力装置で構成されたことで、さらに様々な情報に基づいたＶＲが実現可能となる。
ＶＲ演出制御手段が、１以上の情報入力装置からの情報を入力して１以上のアクチュエータの制御手段の制御情報を決定する制御情報決定部を備えたことで、１以上の情報により１以上のアクチュエータの制御手段を制御するＶＲを演出できる。
ＶＲ演出制御手段が、自動モード制御情報決定部を備えたことで、入力部に接続されたすべての情報入力装置からの情報により出力部に接続されたすべてのアクチュエータの制御手段を制御するＶＲを演出できる。
ＶＲ演出制御手段が、情報入力装置選択部と、アクチュエータ選択部と、手動モード制御情報決定部とを備えたので、情報入力装置選択部で選択された情報入力装置からの情報に基づいてアクチュエータ選択部で選択されたアクチュエータを制御するＶＲを演出でき、乗員が体験したいＶＲを選択できる。
ＶＲ演出制御手段が、自動モード制御情報決定部と、情報入力装置選択部と、アクチュエータ選択部と、手動モード制御情報決定部と、モード選択部とを備えたので、自動モード制御情報決定部あるいは手動モード制御情報決定部のいずれからの制御情報によるＶＲを実現させるかを乗員が選択できるようになる。
本発明のＶＲ演出制御装置によれば、入力端子に移動体に設けられた情報入力手段を入力端子に接続するとともに移動体に設けられたアクチュエータの制御手段を出力端子に接続することで、移動体のアクチュエータを利用したＶＲ演出装置を構成できる。
アクチュエータの制御手段としてのサスペンション駆動制御装置、シート駆動装置、表示制御装置、音制御装置、空調制御装置、照明制御装置のうち、少なくともサスペンション駆動制御装置かシート駆動装置を含む１つ以上の制御装置が接続可能な出力端子と、情報入力手段を構成する１以上の情報入力装置が接続可能な入力端子とを備えることで、様々な情報により移動体のアクチュエータを利用したＶＲを様々な情報により演出できるＶＲ演出装置を構成できる。
また、本発明のＶＲ演出制御プログラムによれば、移動体に搭載されたコンピュータに、１つの情報入力装置からの情報に基づいて１つのアクチュエータの制御手段に対する制御を行わせて演出するＶＲや、１つの情報入力装置からの情報に基づいて複数のアクチュエータの制御手段に対する制御を行わせて演出するＶＲや、複数の情報入力装置からの情報に基づいて１つのアクチュエータの制御手段に対する制御を行わせて演出するＶＲや、複数の情報入力装置からの情報に基づいて複数のアクチュエータの制御手段に対する制御を行わせて演出するＶＲを実現できる移動体を構成できるようになる。
上記ＶＲ演出制御プログラムが、さらに、上記移動体に搭載されたコンピュータに、サスペンション駆動制御装置、シート駆動制御装置のうちの１以上の制御装置に対する制御を行わせてＶＲを演出させる機能を備えたことで、サスペンション駆動ＶＲやシート駆動ＶＲ、あるいはこれら両方のＶＲを移動体内で演出できる移動体を構成できるようになる。
上記ＶＲ演出制御プログラムが、さらに、上記移動体に搭載されたコンピュータに、外部情報入力手段、乗員生体情報入力手段、乗員操作情報入力手段、設定ＶＲ情報入力手段のうちの１以上の情報入力手段を構成する１以上の情報入力装置からの情報に基づいてアクチュエータの制御手段に対する制御を行わせてＶＲを演出させる機能を備えたことで、外部情報、乗員生体情報、乗員操作情報、設定ＶＲ情報に基づいてアクチュエータの制御手段を制御することによるＶＲを演出できる移動体を構成できるようになる。
【発明を実施するための最良の形態】
【０００６】
図１は本発明の最良の形態によるＶＲ演出装置の構成をブロックで示し、図２はＶＲ演出装置を構成する乗用車を示す。
【０００７】
図１に示すように、ＶＲ演出装置は、移動体としての例えば乗用車１と、乗用車１に設けられたアクチュエータ２、アクチュエータ２の制御手段３、情報入力手段４、ＶＲ演出制御手段５とで構成される。アクチュエータ２、アクチュエータ２の制御手段３、情報入力手段４、ＶＲ演出制御手段５は、例えば、市販の乗用車１に予め装備されていたり、あるいは、乗用車１に別途追加で搭載されることで、乗用車１に設けられたものである。
【０００８】
アクチュエータ２としては、表示装置２１、音出力装置２２、空調装置２３、振動機能付きシートシステムのシート駆動装置２４、加速度発生アクチュエータ付きサスペンションシステムのサスペンション駆動装置２５、照明装置２６を備える。
図２に示すように、表示装置２１としては、ＨＭＤ２１１、３Ｄスクリーン２１２、ＴＶ・ナビゲーションモニタ２１３、スピードメータ表示部２１４、エンジン回転数メータ表示部２１５のうち１以上を備える。
音出力装置２２としては、スピーカ２２１やヘッドフォン２２２より音を出力するオーディオシステム２２３を備える。
【０００９】
アクチュエータの制御手段３としては、表示制御装置３１、音制御装置３２、空調制御装置３３、シート駆動制御装置３４、サスペンション駆動制御装置３５、照明制御装置３６を備える。
【００１０】
情報入力手段４としては、外部情報入力手段としての車外情報入力手段４１、乗員操作情報入力手段４２、乗員生体情報入力手段４３、設定ＶＲ情報入力手段４４を備える。
車外情報入力手段４１としては、乗用車１に取付けられる装置であって、車外映像情報を入力するカメラ４１１、車外環境音情報を入力するマイク４１２、障害物との距離情報を入力する距離センサ４１３や車外の臭いの情報を入力する臭い検出センサ４１４や温度センサ４１５等の各種センサ、ネットワーク接続端子４１６に接続されるパーソナルコンピュータやモバイル機器などのネットワーク通信情報入力装置４１７のような複数の情報入力装置のうち１以上を備える。
乗員操作情報入力手段４２としては、データグローブ４２１や３Ｄマウス４２２や搭乗者が操作する車内の操作手段のような複数の情報入力装置のうち１以上を備える。操作手段としては、ハンドル４２３、アクセル；ブレーキ；クラッチの操作ペダル４２４等、ウインカーやワイパーの操作部材４２５等である。
乗員生体情報入力手段４３としては、人体の動きを検出するＣＣＤカメラ４３１や心拍数検出器、体温検出器、筋肉状態検出器などの各種生体センサ４３２のような複数の情報入力装置のうち１以上を備える。
設定ＶＲ情報入力手段４４としては、予めプログラミングされて記憶媒体に記憶された設定ＶＲ情報を入力するディスクドライバ４４１等のような情報入力装置としての情報読取装置を備える。
【００１１】
ＶＲ演出制御手段５は、ＶＲ演出設定部６とＶＲ演出制御部７とを備える。
ＶＲ演出設定部６は、設定操作部１１と自動モード制御情報決定部１２と手動モード制御情報決定部１３と自動モード／手動モード切替部１４とを備える。
各情報入力手段４１〜４４の図外の出力端子とＶＲ演出制御手段５の複数の入力端子５１；５１・・・とが互いに接続され、各情報入力手段４１〜４４からの情報が設定操作部１１に入力される。設定操作部１１には、ＶＲを自動モード設定とするか手動モード設定とするかを選択するための自動モード／手動モード選択スイッチ１１２と、ＶＲ演出に関与させたい情報を入力する情報入力装置を選択するための情報入力装置選択スイッチ１１３と、ＶＲ演出に関与させたいアクチュエータを選択するためのアクチュエータ選択スイッチ１１４と、設定ＶＲ選択スイッチ１１５とが設けられる。
設定操作部１１の操作パネル面１１１には上述した各スイッチを操作するための例えば図外のタッチパネル等のスイッチ操作入力部が設けられている。
【００１２】
ＶＲ演出制御部７は、制御対象アクチュエータ判定部７１と、表示ＶＲ演出制御部７２、音ＶＲ演出制御部７３、空調ＶＲ演出制御部７４、シート駆動ＶＲ演出制御部７５、サスペンション駆動ＶＲ演出制御部７６、照明ＶＲ演出制御部７７を備える。
【００１３】
制御対象アクチュエータ判定部７１は、ＶＲ演出制御用のコンピュータ１５と当該コンピュータ１５に制御情報決定部１２あるいは１３から送られてきた制御情報からＶＲ制御対象のアクチュエータを判定する制御対象アクチュエータ判定プログラム８１及び制御対象アクチュエータ判定データ８２とにより実現される。各ＶＲ演出制御部７２〜７７は、コンピュータ１５と当該コンピュータ１５に制御情報に基づいてアクチュエータの制御装置を制御することによるＶＲ演出制御を行わせるＶＲ演出制御プログラム８３及びＶＲ演出制御データ８４とにより実現される。ＶＲ演出制御部７には複数の出力端子５２；５２・・・が設けられ、これら出力端子５２に、アクチュエータの制御手段３である表示制御装置３１、音制御装置３２、空調制御装置３３、シート駆動制御装置３４、サスペンション駆動制御装置３５、照明制御装置３６の入力接続ケーブル、無線等の通信手段５３が接続されることで、ＶＲ演出制御部７２〜７７からの制御出力が制御装置３１〜３６に出力可能となる。尚、複数の入力端子５１によりＶＲ演出制御手段５の入力部５１０が形成され、複数の出力端子５２によりＶＲ演出制御手段５の出力部５２０が形成される。
【００１４】
尚、ＶＲ演出制御手段５を、例えば、上述したコンピュータ１５及び各種プログラム、データを内蔵し、かつ、上記入力端子５１、出力端子５２を備えた図外の筐体で構成されたＶＲ演出制御装置５０により形成すれば、流通、販売、乗用車への組付けなどが容易となる。また、ＶＲ演出制御装置５０は、乗用車１に設けられた走行用兼用発電機５５の電源端子５４に接続されたり、あるいは、図外の外部電源供給装置等に接続されることで、電源に接続される。また、入力端子５１は、情報入力装置の出力端子が接続された場合に情報入力装置に電源を供給するタイプのものを用いる。
【００１５】
乗用車１の電源を投入すると走行用兼用発電機５５からの電源が電源端子５４を介してＶＲ演出制御装置５０に供給されてＶＲ演出制御装置５０が起動する。この際に、自動モード／手動モード選択スイッチ１１２により自動モードが選択されていたり、乗員が自動モードを選択した場合には、自動モード／手動モード選択スイッチ１１２からの切替信号１４ａで自動モード／手動モード切替部１４が自動モード制御情報を出力する側に切替えられ、自動モード制御情報決定部１２は、上述したＶＲ演出制御手段５の入力部に接続されているすべての情報入力装置からの情報を入力してこれら情報に基づいてＶＲ演出制御手段５の出力部に接続されているすべてのアクチュエータの制御装置毎の制御情報を決定してＶＲ演出制御部７に出力する。自動モード／手動モード選択スイッチ１１２で手動モードが選択されていたり、乗員が手動モードを選択した場合には、自動モード／手動モード選択スイッチ１１２からの切替信号１４ｂで自動モード／手動モード切替部１４が手動モード制御情報を出力する側に切替えられ、乗員が情報入力装置選択スイッチ１１３を操作することで上述したＶＲ演出制御手段５の入力部５１０に接続されているすべての情報入力装置のうちから所望の情報入力装置を選択でき、また、乗員がアクチュエータ選択スイッチ１１４を操作することで、上述したＶＲ演出制御手段５の出力部５２０に接続されているすべてのアクチュエータ２のうちからＶＲに関与させたい所望のアクチュエータ２を選択することができる。この場合には、手動モード制御情報決定部１３は、選択されている情報入力装置からの情報を入力してこれら情報に基づいて、選択されているアクチュエータ２の制御装置の制御情報を決定してＶＲ演出制御部７に出力する。制御情報決定部１２；１３は、情報入力装置から入力した情報とアクチュエータ２の制御装置への制御情報との関係を定めた図外の参照テーブル（ルックアップテーブル）を備え、この参照テーブルを参照してアクチュエータ２の制御手段３の制御情報を決定して出力する。
【００１６】
上記構成によって実現できる車内ＶＲの例について説明する。本形態のＶＲ演出制御プログラムにより実現されるＶＲ演出制御手段５（ＶＲ演出制御装置５０）を移動体としての乗用車１に搭載し、入力端子５１に情報入力装置を接続し、ＶＲ演出制御手段５の出力端子５２にアクチュエータ２の制御装置を接続したＶＲ演出装置によれば、ＶＲ演出制御プログラム８３により、１つの情報入力装置からの情報により１つのアクチュエータの制御装置を制御する車内ＶＲ、１つの情報入力装置からの情報により複数のアクチュエータの制御装置を制御する車内ＶＲ、複数の情報入力装置からの情報により１つのアクチュエータの制御装置を制御する車内ＶＲ、複数の情報入力装置からの情報により複数のアクチュエータの制御装置を制御する車内ＶＲを実現できる。
【００１７】
１つの情報入力装置からの情報により１つのアクチュエータの制御装置を制御する車内ＶＲの例について説明する。例えば、海岸沿いに停車中において、運転席シート６０に着座している乗員による操作パネル面１１１への操作で情報入力装置選択スイッチ１１３により車外映像情報を入力するカメラ４１１が選択され、かつ、アクチュエータ選択スイッチ１１４によりサスペンション駆動装置２５が選択されたとする。あるいは、入力端子５１にカメラ４１１しか接続されておらず、出力端子５２にサスペンション駆動制御装置３５しか接続されていない場合に、自動モードが選択されているとする。制御情報決定部１２あるいは１３は、いくつかの映像のそれぞれに対応してサスペンション駆動制御装置３５の制御情報（制御パターン）を記憶している。制御情報決定部１２や１３が、カメラ４１１から海の映像を入力すると画像認識により海の映像であると判断し、その海の映像と対応付けられたサスペンション駆動装置３５の制御情報を参照テーブルより検索して該当する制御情報をサスペンション駆動ＶＲ演出制御部７６に出力する。そして、サスペンション駆動ＶＲ演出制御部７６が制御情報によりサスペンション駆動制御装置３５を制御する。例えば、車体が波で揺れるような感じのＶＲをサスペンション駆動制御装置３５を制御して演出する。また、同様に、車体が波で揺れるような感じのＶＲをシート駆動制御装置３４を制御して演出できる。また、乗員が生体センサ４３２を装着し、運転席シート６０に着座した乗員の操作で情報入力装置選択スイッチ１１３により生体センサ４３２が選択され、かつ、アクチュエータ選択スイッチ１１４によりサスペンション駆動装置２５あるいはシート駆動装置２４が選択されているような場合やこれらが自動モードで選択されている場合においても、運転席シート６０に着座した乗員の身体状況に応じてサスペンション駆動装置２５あるいはシート駆動装置２４を制御するＶＲを実現できる。すなわち、例えば、カメラ４１１あるいは生体センサ４３２のうちの１つの情報入力装置からの情報に基づいてサスペンション駆動制御装置３５あるいはシート駆動制御装置３４のうちの１つのアクチュエータの制御装置を制御するＶＲを実現できる。
【００１８】
複数の情報入力装置からの情報により１つのアクチュエータの制御装置を制御する車内ＶＲの例について説明する。例えば、停車中において、手動モードあるいは自動モード設定により、情報入力装置のうちの２つ以上が選択され、かつ、サスペンション駆動制御装置３５あるいはシート駆動制御装置３４が選択されたとする。制御情報決定部１２あるいは１３は、上述した情報入力装置のすべてから入力しえる情報に対応してサスペンション駆動制御装置３５やシート駆動制御装置３４の制御情報（制御パターン）を記憶している。これにより、手動モード制御情報決定部１３が、２つ以上の情報入力装置からの情報を入力してその情報に対応するサスペンション駆動制御装置３５あるいはシート駆動制御装置３４の制御情報を参照テーブルより検索して該当する制御情報をサスペンション駆動ＶＲ演出制御部７６あるいはシート駆動ＶＲ演出制御部７５に出力する。そして、サスペンション駆動ＶＲ演出制御部７６あるいはシート駆動ＶＲ演出制御部７５が制御情報によりサスペンション駆動制御装置３５あるいはシート駆動制御装置３４を制御する。
【００１９】
１つの情報入力装置からの情報により複数のアクチュエータの制御装置を制御する車内ＶＲの例について説明する。例えば、停車中において、手動モードあるいは自動モード設定により、生体センサ４３２が選択され、かつ、サスペンション駆動装置２５とシート駆動装置２４と音出力装置２２とが選択されたとする。制御情報決定部１２あるいは１３は、心拍数、体温、筋肉状態値等の生体情報に対応してサスペンション駆動制御装置３５やシート駆動制御装置３４の制御情報、音制御装置３２への制御情報を参照テーブルに記憶している。そして、例えば、制御情報決定部１２あるいは１３が、生体センサ４３２からの生体情報を入力して運転席への乗員の身体状況を判定し、上記各アクチュエータの制御装置３５；３４；３２に対する制御情報を参照テーブルを参照して決定する。例えば、乗員が興奮状態にある場合は、サスペンション駆動ＶＲ演出制御部７６が制御情報によりサスペンション駆動装置２５をゆっくり可動させて車体に揺らぎを与えるとともに、シート駆動ＶＲ演出制御部７５が制御情報によりシート駆動装置２４をゆっくり可動させてシートを動かし、さらに、音ＶＲ演出制御部７３が制御情報により音出力装置２２としてのＣＤトレイにあるＣＤの中のリラックスを促す音を再生するというような、リラクゼーション効果を促すＶＲを演出する。
【００２０】
複数の情報入力装置からの情報により複数のアクチュエータの制御装置を制御する車内ＶＲについて説明する。例えば、乗員がデータグローブ４２１及びＨＭＤ２１１を装着して、手動モードあるいは自動モード設定により、データグローブ４２１及びディスクドライバ４４１が選択され、かつ、サスペンション駆動装置２５、ＨＭＤ２１１、音出力装置２２が選択されたとする。この場合、ディスクドライバ４４１に装填されたディスクにプログラミングされた例えば対戦ゲームのような映像がＨＭＤ２１１に表示され、ディスクにプログラミングされた音声がヘッドフォン２２２より出力される。制御情報決定部１２あるいは１３は、データグローブ４２１を装着した乗員の手の三次元位置、指の動作、握力変動など操作者の移動方向、速度変化、時間の変化（スローモーションやスピードアップ）などの操作情報に対応して、上下、左右、前後で規定されるサスペンション駆動装置２５の三次元の加速度と変位量とによる制御情報を参照テーブルに記憶している。そして、サスペンション駆動ＶＲ演出制御部７６、表示ＶＲ演出制御部７２、音ＶＲ演出制御部７３は、制御情報決定部１２あるいは１３から送られてくる新たな制御情報と直前の制御情報とに基づいてフィードバック制御でサスペンション駆動制御装置３５、ＨＭＤ２１１の表示制御装置３１、ヘッドフォン２２２の音制御装置３２を制御する。以上により、乗用車のサスペンション駆動装置２５を利用したＶＲ対戦ゲームを車内で実現できる。また、この場合において、すべてのアクチュエータを選択した場合には、すべてのアクチュエータの制御装置の制御を行うことによるＶＲ対戦ゲームを実現できる。尚、対戦ゲームの内容は、設定ＶＲ選択スイッチ１１５による選択で所望のゲームを選択できる。
【００２１】
尚、シート駆動ＶＲ演出制御部７５によるシート駆動制御装置３４の制御は例えば運転席シート６０全体の上下、左右、前後で規定される三次元の加速度と変位量と、ヘッドレストの上下、左右、前後で規定される三次元の加速度と変位量とシートバックの回転軸を中心とする前後方向の加速度と変位量、及びクッションの前後、上下方向の加速度と移動量等である。空調ＶＲ演出制御部７４による空調制御装置３３の制御は例えば空調装置２３による風速、風量、風向、湿度、温度、香り（香源を装備しておく）制御等である。照明ＶＲ演出制御部７７により制御される照明制御装置３６の制御は例えば照明装置２６による点灯、点滅、断続点灯などの制御等である。
【００２２】
本形態によれば、車載のアクチュエータを利用した様々な車内ＶＲを演出できる。また、自動モード制御情報決定部１２を備えたことで、入力部５１０に接続されたすべての情報入力装置からの情報により出力部５２０に接続されたすべてのアクチュエータの制御装置を制御するＶＲを演出できる。また、情報入力装置選択部としての情報入力装置選択スイッチ１１３と、アクチュエータ選択部としてのアクチュエータ選択スイッチ１１４を備えたので、選択した情報入力装置からの情報に基づいて選択したアクチュエータを制御するＶＲを演出でき、乗員が体験したいＶＲを選択できる。モード選択部としての自動モード／手動モード選択スイッチ１１２を備えたので、自動モード制御情報決定部１２あるいは手動モード制御情報決定部１３のいずれからの制御情報によるＶＲを実現させるかを乗員が選択できるようになる。
【００２３】
尚、安全が確保された平面コースを走行する場合においては、走行中に本発明の装置によってＶＲを演出することも可能である。
【産業上の利用可能性】
【００２４】
上記では、移動体として乗用車を例にして説明したが、本発明を適用する移動体は、飛行機、オートバイ、バス、船、ロケット等の移動体でも良い。
【図面の簡単な説明】
【００２５】
【図１】本発明の最良形態による車内ＶＲ演出装置のブロック構成図。
【図２】最良形態による車内ＶＲ演出装置を搭載した乗用車を示す図。
【符号の説明】
【００２６】
１  乗用車（移動体）、２  アクチュエータ、３  アクチュエータの制御手段、
４  情報入力手段、５  ＶＲ演出制御手段、６  ＶＲ演出設定部、
７  ＶＲ演出制御部、１１  設定操作部、１２  自動モード制御情報決定部、
１３  手動モード制御情報決定部、１４  自動モード／手動モード切替部、
１５  コンピュータ、２１  表示装置、２２  音出力装置、２３  空調装置、
２４  シート駆動装置、２５  サスペンション駆動装置、２６  照明装置、
３１  表示制御装置、３２  音制御装置、３３  空調制御装置、
３４  シート駆動制御装置、３５  サスペンション駆動制御装置、
４１  車外情報入力手段、４２  乗員操作情報入力手段、
４３  乗員生体情報入力手段、４４  設定ＶＲ情報入力手段、
５０  ＶＲ演出制御装置、５１  入力端子、５２  出力端子、
８３  ＶＲ演出制御プログラム、
１１２  自動モード／手動モード選択スイッチ（モード選択部）、
１１３  情報入力装置選択スイッチ（情報入力装置選択部）、
１１４  アクチュエータ選択スイッチ（アクチュエータ選択部）、
５１０  入力部、５２０  出力部。
【図１】
2006047478.tif 000003
【図２】
2006047478.tif 000004